(57)【特許請求の範囲】
【請求項１】
魚類や獣類などの食肉動物の血管を介して血液を体外に流出させるため第一灌流液を血管内に注入して血液を体外に流出させた後、酸化防止や味覚改善などの目的に応じた成分を含む第二灌流液を血管内に注入する灌流装置であって、第一灌流液及び第二灌流液は各々容器に収納し、各容器に流出管を設け、該流出管には各々バルブを設け、この夫々の流出管の流出側を導出管に連設し、この導出管にはポンプを介して導水管を設け、導水管の先端部にカテーテルを設け、前記第一灌流液及び第二灌流液を食肉動物の心臓動脈から圧力注入し、血液は心臓静脈から体外に流出させることを特徴とする灌流装置。
【請求項２】
魚類や獣類などの食肉動物の血管を介して血液を体外に流出させるため第一灌流液を血管内に注入して血液を体外に流出させた後、酸化防止や味覚改善などの目的に応じた成分を含む第二灌流液を血管内に注入する灌流装置であって、第一灌流液及び第二灌流液は各々容器に収納し、前記各々の容器に流出管を設け、該流出管にはポンプを介して導水管を設け、該導水管にはバルブを介してカテーテルを設け、前記第一灌流液及び第二灌流液を食肉動物の心臓動脈から圧力注入し、血液は心臓静脈から体外に流出させることを特徴とする灌流装置。
【請求項３】
前記導水管を複数に分路し、この分路した各々の導水管にバルブを介してカテーテルを設けたことを特徴とする請求項２に記載の灌流装置。
【請求項４】
前記カテーテルの先端部に、心臓心室と心臓動脈留の境界部でカテーテルが固定されるように突部を設けたことを特徴とする請求項１〜３のいずれか１項に記載の灌流装置。
【請求項５】
前記ポンプ及び前記バルブを各々制御するためのコントローラーをポンプ及びバルブの制御部に連接したことを特徴とする請求項１〜４のいずれか１項に記載の灌流装置。
【請求項６】
前記第一灌流液及び第二灌流液を食肉動物の心臓から注入するために食肉動物を載置する載置台に、食肉動物に当接するように電気パルスを断続的に発生する電極を設けたことを特徴とする請求項１〜５のいずれか１項に記載の灌流装置。
【請求項７】
複数の前記食肉動物を並設状態に固定保持する保持部を載置台に複数並設し、前記先端部にカテーテルを設けた導水管を複数分岐形成し、この夫々のカテーテルを前記保持部に固定保持した各食肉動物の注入箇所に差し込み、前記バルブを介して所定の灌流液を注入し得るように構成したことを特徴とする請求項１〜６のいずれか１項に記載の灌流装置。
【請求項８】
前記保持部に固定保持した食肉動物に刺激を付与する刺激機構を備えたことを特徴とする請求項７に記載の灌流装置。
【請求項９】
前記保持部に前記刺激機構を設けたことを特徴とする請求項８に記載の灌流装置。
【請求項１０】
前記刺激機構を、断続的に電気的刺激を付与して食肉動物を痙攣せしめる電気刺激機構としたことを特徴とする請求項９に記載の灌流装置。
【発明の詳細な説明】
【０００１】
【発明の属する技術分野】
本発明は、灌流装置に関するものである。
【０００２】
【従来の技術及び発明が解決しようとする課題】
魚類や畜肉類の鮮度低下の原因は、死後体内に残存する自己分解酵素群や腐敗微生物によるものといわれている。
【０００３】
従来、この鮮度低下を防止するために、魚類や畜肉類を即殺、脱血（心臓が機能している間に血管を切開して体内の血液を放出させる。）して、血液中の自己分解酵素群を除去することにより鮮度低下を防止することが行われている。
【０００４】
しかしながら、前記従来の方法では、体内の血液を効率良く確実に放出することができず、体内に血液が残る場合があり、十分に鮮度低下を防止することができなかった。
【０００５】
本発明は、前記従来の課題を解決するためになされたものであり、魚類や獣類などの食肉動物の血液を効率良く確実に放出すると共に、酸化防止や味覚改善などの目的に応じた成分を食肉動物の体内に効率良く確実に注入できる灌流装置を提供することを目的としている。
【０００６】
【課題を解決するための手段】
添付図面を参照して本発明の要旨を説明する。
【０００７】
魚類や獣類などの食肉動物の血管を介して血液を体外に流出させるため第一灌流液Ａを血管内に注入して血液を体外に流出させた後、酸化防止や味覚改善などの目的に応じた成分を含む第二灌流液Ｂを血管内に注入する灌流装置であって、第一灌流液Ａ及び第二灌流液Ｂは各々容器８に収納し、各容器８に流出管９を設け、該流出管９には各々バルブ10を設け、この夫々の流出管９の流出側を導出管11に連設し、この導出管11にはポンプ12を介して導水管14を設け、導水管14の先端部にカテーテル６を設け、前記第一灌流液Ａ及び第二灌流液Ｂを食肉動物の心臓動脈１から圧力注入し、血液は心臓静脈２から体外に流出させることを特徴とする灌流装置に係るものである。
【０００８】
また、魚類や獣類などの食肉動物の血管を介して血液を体外に流出させるため第一灌流液Ａを血管内に注入して血液を体外に流出させた後、酸化防止や味覚改善などの目的に応じた成分を含む第二灌流液Ｂを血管内に注入する灌流装置であって、第一灌流液Ａ及び第二灌流液Ｂは各々容器８に収納し、前記各々の容器８に流出管９を設け、該流出管９にはポンプ12を介して導水管14を設け、該導水管14にはバルブ10を介してカテーテル６を設け、前記第一灌流液Ａ及び第二灌流液Ｂを食肉動物の心臓動脈１から圧力注入し、血液は心臓静脈２から体外に流出させることを特徴とする灌流装置に係るものである。
【０００９】
また、前記導水管14を複数に分路し、この分路した各々の導水管14にバルブ10を介してカテーテル６を設けたことを特徴とする請求項２に記載の灌流装置に係るものである。
【００１０】
また、前記カテーテル６の先端部に、心臓心室３と心臓動脈留４の境界部でカテーテル６が固定されるように突部７を設けたことを特徴とする請求項１〜３のいずれか１項に記載の灌流装置に係るものである。
【００１１】
また、前記ポンプ12及び前記バルブ10を各々制御するためのコントローラー15をポンプ12及びバルブ10の制御部に連接したことを特徴とする請求項１〜４のいずれか１項に記載の灌流装置に係るものである。
【００１２】
また、前記第一灌流液Ａ及び第二灌流液Ｂを食肉動物の心臓から注入するために食肉動物を載置する載置台17に、食肉動物に当接するように電気パルスを断続的に発生する電極18を設けたことを特徴とする請求項１〜５のいずれか１項に記載の灌流装置に係るものである。
【００１３】
また、複数の前記食肉動物を並設状態に固定保持する保持部を載置台17に複数並設し、前記先端部にカテーテル６を設けた導水管14を複数分岐形成し、この夫々のカテーテル６を前記保持部に固定保持した各食肉動物の注入箇所に差し込み、前記バルブ10を介して所定の灌流液を注入し得るように構成したことを特徴とする請求項１〜６のいずれか１項に記載の灌流装置に係るものである。
【００１４】
また、前記保持部に固定保持した食肉動物に刺激を付与する刺激機構を備えたことを特徴とする請求項７に記載の灌流装置に係るものである。
【００１５】
また、前記保持部に前記刺激機構を設けたことを特徴とする請求項８に記載の灌流装置に係るものである。
【００１６】
また、前記刺激機構を、断続的に電気的刺激を付与して食肉動物を痙攣せしめる電気刺激機構としたことを特徴とする請求項９に記載の灌流装置に係るものである。
【００１７】
【発明の実施の形態】
第一灌流液Ａ及び第二灌流液Ｂを食肉動物の心臓から注入すると、通常、心臓から送り出された血液が体内の各器官を経由して再び心臓に戻る通常の血液の循環経路で第一灌流液Ａ及び第二灌流液Ｂが心臓から体内に注入され、第一灌流液Ａが注入されることで、体内の血管内の血液が効率良く確実に体外に放出され、第二灌流液Ｂが注入されることで、体内の血管内に酸化防止や味覚改善などの成分を効率良く確実に注入できる。従って、体内の血液を効率良く確実に体外に放出するから、食肉動物の血液残留酵素群による鮮度低下を確実に防止することができ、体内の血管内に酸化防止や味覚改善などの成分を確実に注入するから、食肉動物の酸化防止や味覚改善などを効率良く行うことができる。
【００１８】
また、第一灌流液Ａ及び第二灌流液Ｂを食肉動物の心臓動脈１から圧力注入すると、第一灌流液Ａ及び第二灌流液Ｂは心臓動脈１から動脈血管を通り毛細血管にまで食肉動物の体内のすみずみの血管全てに注入され、第一灌流液Ａが注入されることで、体内の血管内の血液が効率良く確実に体外に放出され、第二灌流液Ｂが注入されることで、体内の血管内に酸化防止や味覚改善などの成分を効率良く確実に注入できる。従って、体内の血液を効率良く確実に体外に放出するから、食肉動物の血液残留酵素群による鮮度低下を確実に防止することができ、体内の血管内に酸化防止や味覚改善などの成分を確実に注入するから、食肉動物の酸化防止や味覚改善などを効率良く行うことができる。
【００１９】
尚、心臓動脈１から送り出された血液が体内の各器官を経由して心臓静脈２に送られる通常の血液の循環経路で、心臓静脈２から血液を体外に流出させるから、血液を体外に確実に流出させることができる。
【００２０】
また、第一灌流液Ａ及び第二灌流液Ｂは各々容器８に収納し、各容器８に流出管９を設け、該流出管９には各々バルブ10を設け、この夫々の流出管９の流出側を導出管11に連設し、この導出管11にはポンプ12を介して導水管14を設け、導水管14の先端部にカテーテル６を設けると、カテーテル６から流出する第一灌流液Ａ及び第二灌流液Ｂを、心臓動脈留４から心臓動脈１へ効率良く確実に送り込むことができる。
【００２１】
さらに、第一灌流液Ａ及び第二灌流液Ｂは各々容器８に収納し、各容器８に設けた流出管９には各々バルブ10を設け、この夫々の流出管９の流出側を導出管11に連設したから、食肉動物から血液を体外に流出する場合には、第二灌流液Ｂを収納した容器８に連設したバルブ10を閉じ、第一灌流液Ａを収納した容器８に連設したバルブ10を開き、食肉動物の血管に第一灌流液Ａを注入し、食肉動物の血液を体外に流出させた後に、第一灌流液Ａを収納した容器８に連設したバルブ10を閉じ、第二灌流液Ｂを収納した容器８に連設したバルブ10を開き、食肉動物の血管に第二灌流液Ｂを注入することができる。従って、バルブ10の開閉操作のみで、灌流液を変更することができる非常に実用性の高い灌流装置とすることができる。
【００２２】
また、第一灌流液Ａ及び第二灌流液Ｂは各々容器８に収納し、前記各々の容器８に流出管９を設け、該流出管９にはポンプ12を介して導水管14を設け、該導水管14にはバルブ10を介してカテーテル６を設けたから、第一灌流液Ａ側に設けるポンプ12には、第一灌流液Ａを注入するための最適条件にあったポンプ12を設置することができ、第二灌流液Ｂ側に設けるポンプ12は、第二灌流液Ｂを注入するための最適条件にあったポンプ12を設置することができ、各灌流液の最適注入条件にあったポンプ12を各々設けることができ、各灌流液を非常に効率的に食肉動物の血管内に注入することができる。
【００２３】
また、前記導水管14を複数に分路し、この分路した各々の導水管14にバルブ10を介してカテーテル６を設けたから、複数のカテーテル６から同時に灌流液を注入することができ、さらに、各バルブの開閉操作が任意にできるから、別々の灌流液を各々別のカテーテル６から注入することができる。従って、同時に複数の異なった食肉動物に任意の灌流液を各々異なった注入条件で注入することができ、非常に便利で使い易い灌流装置とすることができる。
【００２４】
また、カテーテル６の先端部に、心臓心室３と心臓動脈留４の境界部でカテーテル６が固定されるように突部７を設けたから、カテーテル６の先端部に設けた突部７を心臓心室３と心臓動脈留４の境界部に確実に固定でき、カテーテル６から流出する第一灌流液Ａ及び第二灌流液Ｂを心臓動脈留４から心臓動脈１へ効率良く確実に送り込むことができる。
【００２５】
また、ポンプ12及びバルブ10を各々制御するためのコントローラー15をポンプ12及びバルブ10の制御部に連接したから、このコントローラー15を操作することで、自由にポンプ12やバルブ10の制御を行うことができ、灌流液の選択やポンプ12の条件やバルブ10の開閉及び調整等を自由に、しかも自動的に行うことができ、食肉動物に灌流液を最適条件で注入することができると共に、灌流液の切り換えを自動的に行うことができ、非常に使い易い灌流装置とすることができる。
【００２６】
また、食肉動物を載置する載置台17に、食肉動物に当接するように電気パルスを断続的に発生する電極18を設けたから、この断続的に発生する電気パルスが食肉動物の全身に伝わり、食肉動物を全身マッサージして、食肉動物の血液の流れを活発にし、血液を体外に効率良く流出させることができ、灌流液の注入を非常に効率的に行うことができる。
【００２７】
【実施例】
本発明の実施例に係る灌流装置に関して以下図面に基づき説明する。
【００２８】
本実施例は、図１，図３に図示したように、魚類や獣類などの食肉動物の血管を介して血液を体外に流出させるため第一灌流液Ａを血管内に注入して血液を体外に流出させた後、酸化防止や味覚改善などの目的に応じた成分を含む第二灌流液Ｂを血管内に注入する灌流装置であって、前記第一灌流液Ａ及び第二灌流液Ｂは食肉動物の心臓動脈１から圧力注入し、血液は心臓静脈２から体外に流出させ、第一灌流液Ａ及び第二灌流液Ｂは各々保管容器８に保管し、各保管容器８に設けた流出管９には各々バルブ10を設け、この夫々の流出管９の流出側を導出管11に連設し、この導出管11にはポンプ12を介して導水管14を設け、導水管14の先端部に心臓動脈留４径と略同径のカテーテル６を設け、カテーテル６の先端部に心臓心室３と心臓動脈留４の境界部にカテーテル６が固定されるように突部７を設けたものである。
【００２９】
尚、前記ポンプ12は、灌流液を保管容器８から流出管９，バルブ10，導出管11，導水管14及びカテーテル６を経由して心臓動脈留４へ圧力や流量を調整して送り込むために設けている。
【００３０】
別実施例として、図２に図示したように、第一灌流液Ａを保管する保管容器８に流出管９を設け、流出管９にはポンプ12を介して導水管14を設け、導水管14にはバルブ10を介して心臓動脈留４径と略同径のカテーテル６を設け、第二灌流液Ｂを保管する保管容器８に流出管９を設け、流出管９にはポンプ12を介して導水管14を設け、導水管14はバルブ10を介して前記カテーテル６に連設し、カテーテル６の先端部に心臓心室３と心臓動脈留４の境界部にカテーテル６が固定されるように突部７を設けたものである。
【００３１】
さらに、第一灌流液Ａ及び第二灌流液Ｂを各々保管する各々の保管容器８に連設した各ポンプ12の流出側に設けた導水管14を複数に分路し、この分路した各々の導水管14にバルブ10を介してカテーテル６を設けたものである。
【００３２】
尚、導水管14の末端16を保管容器８に連設すれば、灌流液を循環させることができ、分路した導水管14に灌流液を流す場合、圧力や流量を調整することが容易となる。
【００３３】
また、前記ポンプ12及び前記バルブ10を各々制御するためのコントローラー15をポンプ12及びバルブ10の制御部に連接したものである。
【００３４】
また、前記第一灌流液Ａ及び第二灌流液Ｂを食肉動物の心臓動脈１から圧力注入するために食肉動物を載置する載置台17に、食肉動物に当接するように電気パルスを断続的に発生する電極18を設けたものである。
【００３５】
尚、以上の説明では、灌流液は二種類で説明したが、図１に図示したように、灌流液は必要に応じて何種類でも各々別の保管容器８に保管して、各々バルブ10を介してポンプ12に連設することで前記同様に対応することができる。
【００３６】
また、必要に応じて、図１に図示したように、ポンプ12とカテーテル６間に流量等を調整するためのバルブ13を設けてもよい。
【００３７】
また、図２では、灌流液を二種類とし保管容器８を二個設置した灌流装置として説明したが、保管容器８は必要に応じて三個以上併設することも可能であり、この場合には三種類以上の灌流液を、前記同様にコントロールして対応することができる。
【００３８】
尚、灌流液の種類は目的により成分を調整しており、前記した第一灌流液Ａは血液を体外に流出させるためのものであり、例えば、血液凝固阻止材を基材にした灌流液であり、血液を体外に流出した後に用いる灌流液としては、保存性の向上をはかるための灌流液、酸化防止のための灌流液、弾力性やティクスチャーの改善のための灌流液、色彩の向上のための灌流液、調味改善のための灌流液等々種々の灌流液を必要に応じ使用すれば良い。
【００３９】
各々の灌流液は、その性状により混合できるものは混合して使用することもでき、各灌流液の使用条件は使用する食肉動物の種類や食肉動物の保管環境等各条件により適宜設定すればよい。
【００４０】
本実施例の灌流装置を用い、灌流液を実際に使用した実験例について説明すると、灌流液を三種類とし、第一灌流液Ａの組成を生理等調整液に血液凝固阻止材を加えたもの、第二灌流液Ｂの組成を筋肉弛緩剤、第三灌流液の組成をゲル化促進剤に酸化防止剤と調味料を加えたものとして、食肉動物としてぶり19を用い、ぶり19の心臓部を開腹して、心房５を切り開き、カテーテル６を心房５から心臓心室３を経由して心臓動脈留４に挿入し、まず、第一灌流液Ａを注入して血液を心臓静脈２から体外に流出させ、続いて、第二灌流液Ｂ、第三灌流液を注入して処理を行い、従来方法で処理をしたぶりと比較すると、本実施例の灌流装置を用いて処理したぶりは、生臭さや経時における臭気発生が少なくなり、死後の硬直が発生せず、ドリップの発生もなく、味覚改善が良好にでき、大幅なメト化の遅延を達成でき、さらに、耐凍性が向上し凍結品の生産が可能となり非常に商品価値の高いぶりとして処理することができた。
【００４１】
尚、本実施例の灌流装置を用いて、ぶり19を処理する具体的な実施状態を図４，図５に基づき説明する。
【００４２】
ぶり19を処理するために、載置台17上に複数のぶり19を並べて、ぶり19の頭部側と尾部側とにぶり19を載置して固定するための前方土台20と後方土台21とを設け、後方土台21にはぶり19を載置する部分に凹部を設け、この凹部に電極18を設置して、後方土台21のぶり19を載置する部分の両側には、ぶり19を両側から挟持固定するための挟持部材22を設け、この挟持部材22は後方土台21に螺着固定できるようにして、挟持部材22を左右に移動できるように挟持部材22に長孔23を形成して、この長孔23にボルト24を螺着固定する。
【００４３】
挟持部材22の長孔23により、ぶり19の幅方向の寸法の異なるものに対して、挟持部材22を左右に移動して、ぶり19を確実に固定できるようにしている。
【００４４】
前記前方土台20にも前記後方土台21と同様に挟持部材25を設けている。
【００４５】
前記電極18には、電気パルスが断続的に発生するように、適宜電源を設けている。
【００４６】
【発明の効果】
本発明は、第一灌流液及び第二灌流液を食肉動物の心臓から注入するから、通常、心臓から送り出された血液が体内の各器官を経由して再び心臓に戻る通常の血液の循環経路で第一灌流液及び第二灌流液が心臓から体内に注入され、第一灌流液が注入されることで、体内の血管内の血液が効率良く確実に体外に放出され、第二灌流液が注入されることで、体内の血管内に酸化防止や味覚改善などの成分を効率良く確実に注入できる。従って、体内の血液を効率良く確実に体外に放出するから、食肉動物の血液残留酵素群による鮮度低下を確実に防止することができ、体内の血管内に酸化防止や味覚改善などの成分を確実に注入するから、食肉動物の酸化防止や味覚改善などを効率良く行うことができる。
【００４７】
また、第一灌流液及び第二灌流液を食肉動物の心臓動脈から圧力注入すると、第一灌流液及び第二灌流液は心臓動脈から動脈血管を通り毛細血管にまで食肉動物の体内のすみずみの血管全てに注入され、第一灌流液が注入されることで、体内の血管内の血液が効率良く確実に体外に放出され、第二灌流液が注入されることで、体内の血管内に酸化防止や味覚改善などの成分を効率良く確実に注入できる。従って、体内の血液を効率良く確実に体外に放出するから、食肉動物の血液残留酵素群による鮮度低下を確実に防止することができ、体内の血管内に酸化防止や味覚改善などの成分を確実に注入するから、食肉動物の酸化防止や味覚改善などを効率良く行うことができる。
【００４８】
尚、心臓動脈から送り出された血液が体内の各器官を経由して心臓静脈に送られる通常の血液の循環経路で、心臓静脈から血液を体外に流出させるから、血液を体外に確実に流出させることができる。
【００４９】
また、第一灌流液及び第二灌流液は各々容器に収納し、各容器に流出管を設け、該流出管には各々バルブを設け、この夫々の流出管の流出側を導出管に連設し、この導出管にはポンプを介して導水管を設け、導水管の先端部にカテーテルを設けると、カテーテルから流出する第一灌流液及び第二灌流液を心臓動脈留から心臓動脈へ効率良く確実に送り込むことができる。
【００５０】
さらに、第一灌流液及び第二灌流液は各々容器に収納し、各容器に設けた流出管には各々バルブを設け、この夫々の流出管の流出側を導出管に連設したから、食肉動物から血液を体外に流出する場合には、第二灌流液を収納した容器に連設したバルブを閉じ、第一灌流液を収納した容器に連設したバルブを開き、食肉動物の血管に第一灌流液を注入し、食肉動物の血液を体外に流出させた後に、第一灌流液を収納した容器に連設したバルブを閉じ、第二灌流液を収納した容器に連設したバルブを開き、食肉動物の血管に第二灌流液を注入することができる。従って、バルブの開閉操作のみで、灌流液を変更することができる非常に実用性の高い灌流装置とすることができる。
【００５１】
また、第一灌流液及び第二灌流液は各々容器に収納し、前記各々の容器に流出管を設け、該流出管にはポンプを介して導水管を設け、該導水管にはバルブを介してカテーテルを設けたから、第一灌流液側に設けるポンプには、第一灌流液を注入するための最適条件にあったポンプを設置することができ、第二灌流液側に設けるポンプは、第二灌流液を注入するための最適条件にあったポンプを設置することができ、各灌流液の最適注入条件にあったポンプを各々設けることができ、各灌流液を非常に効率的に食肉動物の血管内に注入することができる。
【００５２】
また、前記導水管を複数に分路し、この分路した各々の導水管にバルブを介してカテーテルを設けたから、複数のカテーテルから同時に灌流液を注入することができ、さらに、各バルブの開閉操作が任意にできるから、別々の灌流液を各々別のカテーテルから注入することができる。従って、同時に複数の異なった食肉動物に任意の灌流液を各々異なった注入条件で注入することができ、非常に便利で使い易い灌流装置とすることができる。
【００５３】
また、カテーテルの先端部に、心臓心室と心臓動脈留の境界部でカテーテルが固定されるように突部を設けたから、カテーテルの先端部に設けた突部を心臓心室と心臓動脈留の境界部に確実に固定でき、カテーテルから流出する第一灌流液及び第二灌流液を心臓動脈留から心臓動脈へ効率良く確実に送り込むことができる。
【００５４】
また、ポンプ及びバルブを各々制御するためのコントローラーをポンプ及びバルブの制御部に連接したから、このコントローラーを操作することで、自由にポンプやバルブの制御を行うことができ、灌流液の選択やポンプの条件やバルブの開閉及び調整等を自由に、しかも自動的に行うことができ、食肉動物に灌流液を最適条件で注入することができると共に、灌流液の切り換えを自動的に行うことができ、非常に使い易い灌流装置とすることができる。
【００５５】
また、食肉動物を載置する載置台に、食肉動物に当接するように電気パルスを断続的に発生する電極を設けたから、この断続的に発生する電気パルスが食肉動物の全身に伝わり、食肉動物を全身マッサージして、食肉動物の血液の流れを活発にし、血液を体外に効率良く流出させることができ、灌流液の注入を非常に効率的に行うことができる。
【図面の簡単な説明】
【図１】  本発明の一実施例に係る灌流装置を示す説明図である。
【図２】  本発明の別実施例に係る灌流装置を示す説明図である。
【図３】  本発明の灌流装置の使用状態を示す説明図である。
【図４】  本発明の灌流装置の使用状態を示す説明図である。
【図５】  本発明の灌流装置の一部を示す説明図である。
【符号の説明】
１  心臓動脈
２  心臓静脈
３  心臓心室
４  心臓動脈留
６  カテーテル
７  突部
８  容器
９  流出管
10  バルブ
11  導出管
12  ポンプ
14  導水管
15  コントローラー
17  載置台
18  電極
Ａ 第一灌流液
Ｂ 第二灌流液
【図１】
0003710578.tif 000002
【図２】
0003710578.tif 000003
【図３】
0003710578.tif 000004
【図４】
0003710578.tif 000005
【図５】
0003710578.tif 000006